(57)【要約】【課題】  電子機器の筐体から投影ユニットを分離して画像を投影する場合において、投影ユニットの安定性を確保して設置することができる電子機器を提供する。【解決手段】  筐体４内に収容される撮像ユニット３０と、前記筐体４に着脱可能に構成される投影ユニット２２とを備える電子機器であって、前記投影ユニット２２は、その底面に略垂直に形成された三脚の取り付け用ねじ孔３４を有し、前記筐体４に装着された場合に、前記筐体４の底面に設けられた開口部より前記ねじ孔３４が露出することを特徴とする。【選択図】  図３
2010217757.tif 000002
【特許請求の範囲】
【請求項１】
筐体内に収容される撮像ユニットと、
前記筐体に着脱可能に構成される投影ユニットとを備える電子機器であって、
前記投影ユニットは、その底面に略垂直に形成された三脚の取り付け用ねじ孔を有し、前記筐体に装着された場合に、前記筐体の底面に設けられた開口部より前記ねじ孔が露出することを特徴とする電子機器。
【請求項２】
前記投影ユニットの底面は、前記投影ユニットが前記筐体に装着された場合に、前記筐体の底面と略同一の平面を形成することを特徴とする請求項１記載の電子機器。
【発明の詳細な説明】
【技術分野】
【０００１】
本発明は、プロジェクタを備えた電子機器に関するものである。
【背景技術】
【０００２】
プロジェクタ機能を有するカメラが知られている。（例えば、特許文献１参照）。
【先行技術文献】
【特許文献】
【０００３】
【特許文献１】特開２００５−２５０３９２号公報
【発明の概要】
【発明が解決しようとする課題】
【０００４】
しかし、このカメラにおいてはカメラ本体に投影ユニットが一体に構成されているため、両者を分離させて画像を投影することはできなかった。
【０００５】
本発明の目的は、電子機器の筐体から投影ユニットを分離して画像を投影する場合において、投影ユニットの安定性を確保して設置することができる電子機器を提供することである。
【課題を解決するための手段】
【０００６】
本発明の電子機器は、筐体内に収容される撮像ユニットと、前記筐体に着脱可能に構成される投影ユニットとを備える電子機器であって、前記投影ユニットは、その底面に略垂直に形成された三脚の取り付け用ねじ孔を有し、前記筐体に装着された場合に、前記筐体の底面に設けられた開口部より前記ねじ孔が露出することを特徴とする。
【発明の効果】
【０００７】
本発明の電子機器によれば、電子機器の筐体から投影ユニットを分離して画像を投影する場合において、投影ユニットの安定性を確保して設置することができる。
【図面の簡単な説明】
【０００８】
【図１】本発明の実施の形態に係るカメラの前面を示す斜視図である。
【図２】本発明の実施の形態に係るカメラの背面を示す斜視図である。
【図３】本発明の実施の形態に係るカメラ内部に収納されたユニットの配置を示す正面断面図である。
【図４】本発明の実施の形態に係るカメラ内部に収納された各ユニットの配置を示す上面断面図である。
【図５】本発明の実施の形態に係るカメラの図４におけるＡ−Ａ断面図である。
【図６】本発明の実施の形態に係る筐体から投影ユニットを取外した状態を示す図である。
【発明を実施するための形態】
【０００９】
以下、図面を参照して本発明の実施の形態に係る電子機器についてカメラを例に説明する。図１は、実施の形態に係るカメラの前面を示す斜視図である。カメラ２はプロジェクタを備えるデジタルカメラであって、カメラ２の筐体４はアルミニウム等の金属やプラスチックにより構成されている。筐体４の前面６には、被写体光を入射させる撮影窓１０、画像を投影するプロジェクタ投影窓１２、被写体を照射する光を射出するフラッシュ窓１４が設けられている。また、筐体４の上面には、電源スイッチ１６、レリーズ指示を行うレリーズボタン１８、カメラ撮影を行う撮影モードとプロジェクタ投影を行うプロジェクタモードとを切り換えるＰＪボタン２０、投影ユニット２２（図３参照）を筐体４内に挿入、または引出すための開口部２１が設けられている。また筐体４の底面には、投影ユニット２２を筐体４内に装着した場合に、投影ユニット２２の底面を外部に露出させるための開口部３５（図３参照）が設けられている。
【００１０】
図２は、実施の形態に係るカメラの背面を示す斜視図である。筐体４の背面８には、撮像画像や投影画像を表示するＬＣＤ表示部２４、投影する画像の選択等を行うマルチセレクタ２６、音量調整ボタン２８等の操作部が設けられている。
【００１１】
図３は、実施の形態に係るカメラ内部に収納された各ユニットの配置を示す正面断面図である。カメラ２の内部の略中央には投影画像を投影するための投影光学系と光源であるＬＥＤ等を有する投影ユニット２２が配置されている。投影ユニット２２は筐体４に着脱可能に構成されており、筐体４の上面に設けられた開口部２１から筐体４内に挿入することにより、筐体４に装着され、開口部２１から引出すことにより筐体４から取外される。また、投影ユニット２２の図３における右側には、被写体を撮像するための撮像素子を有する撮像ユニット３０が、投影ユニット２２の左側には、投影ユニット２２及び撮像ユニット３０に電力を供給するバッテリを収容する電池室３２が設けられている。また、投影ユニット２２の底面には投影ユニット２２の底面に対して略垂直に形成された三脚取付け用ねじ孔３４が設けられており、上面には投影ユニット２２を筐体４に対して着脱する場合に把持する把持部３６が設けられている。
【００１２】
ここで、投影ユニット２２を筐体４に装着する場合には、投影ユニット２２の把持部３６を把持して開口部２１から筐体４内に挿入する。投影ユニット２２の底面は、筐体４に装着した場合に筐体４の底面に設けられた開口部３５から露出し、筐体４の底面と略同一平面になるように構成されている。従って、筐体４の底面に設けられた開口部３５より三脚取付け用ねじ孔３４が露出する。
【００１３】
また、撮像ユニット３０の投影ユニット２２と対向する面には投影ユニット２２が筐体４に装着されたことを検出する接触式のスイッチ３８が設けられている。このスイッチ３８がオンの場合、筐体４に投影ユニット２２が装着されたことが検出される。一方、スイッチ３８がオフの場合、筐体４から投影ユニット２２が取外されたことが検出される。
【００１４】
図４は、実施の形態に係るカメラ内部に収納されたユニットの配置を示す上面断面図であり、図５は、図４におけるＡ−Ａ断面図である。図４に示すように、制御部を有するメイン基板４０が筐体４内部の背面側に設けられている。メイン基板４０に設けられたコネクタ４２にフラットケーブル４４の一端部が接続され、投影ユニット２２に設けられたコネクタ４６にフラットケーブル４４の他端部が接続されている。投影ユニット２２が筐体４に装着された場合、フラットケーブル４４は投影ユニット２２のコの字形状の空間に形成されたケーブル収納部２３（図３参照）に折り畳んで収納される。
【００１５】
図６は、実施の形態に係るカメラの筐体４から投影ユニット２２を取外した状態を示す図である。図６に示すように、三脚５０は投影ユニット２２の底面に設けられた三脚取付け用ねじ孔３４に装着される。また、この状態ではスイッチ３８がオフとなり、撮像ユニット３０による撮像と投影ユニット２２による投影を同時に行うことが可能となる。
【００１６】
カメラ２を用いて画像の投影を行う場合には、筐体４から投影ユニット２２を取外し、三脚５０を用いて投影ユニット２２を投影面に対して最適な投影距離で設置する。そして、筐体４のマルチセレクタ２６を操作することにより、投影ユニット２２による投影と撮像ユニット３０による撮像を同時に行うか、投影ユニット２２による投影のみを行うのかを選択する。また、マルチセレクタ２６を操作して投影画像の選択を行い、選択した画像の投影を行なう。また音声が記憶されている画像の場合には、音量調節ボタン２８を操作して音量の調整も行う。
【００１７】
この実施の形態に係るカメラによれば、投影ユニットは投影ユニットの底面に略垂直に形成された三脚取付け用ねじ孔を有するため、カメラの筐体から投影ユニットを取外して、画像の投影を行う場合に、三脚を用いて安定的に投影ユニットを設置することができる。また、投影ユニットが筐体に装着される場合、筐体の底面と、筐体の底面から露出する投影ユニットの底面が略同一の平面を形成するように構成されているためカメラの美感を害することがない。また、投影ユニットは三脚取付け用ねじ孔を有するため、三脚取付け用ねじ孔を有するブロック等の部品が不要となり、コストダウン及び省スペース化が可能になる。
【００１８】
なお、上述の実施の形態においては、投影ユニット２２が筐体４に装着されたか否かを検出するために接触式のスイッチ３８を用いているが、光学的機能を有する非接触式のセンサを用いてもよい。
【産業上の利用可能性】
【００１９】
本発明は、プロジェクタを備えるデジタルカメラに利用することができる。
【符号の説明】
【００２０】
２…カメラ、４…筐体、１０…撮影窓、１２…プロジェクタ投影窓、２０…ＰＪボタン、２１…開口部、２２…投影ユニット、２４…ＬＣＤ表示部、２６…マルチセレクタ、３０…撮像ユニット、３４…三脚取付け用ねじ孔、３５…開口部、３６…把持部、３８…スイッチ、４０…メイン基板、４４…フラットケーブル、５０…三脚。
【図１】
2010217757.tif 000003
【図２】
2010217757.tif 000004
【図３】
2010217757.tif 000005
【図４】
2010217757.tif 000006
【図５】
2010217757.tif 000007
【図６】
2010217757.tif 000008